(57)【要約】【課題】蔓科植物の成長特性等に適するように構成に工夫を凝らしてなる蔓科植物育成用螺旋状ロープ及びその製造方法並びに当該螺旋状ロープを用いてなる壁面緑化システムを提供する。【解決手段】蔓科植物育成用螺旋状ロープＲは、芯材１０及び側材２０を備えている。側材２０は、芯材１０に対し、地球の北半球で成長する蔓科植物Ｂの蔓Ｂ１の巻回方向に沿うように巻装されている。【選択図】図２
2007306858.tif 000002
【特許請求の範囲】
【請求項１】
オーステナイト系ステンレス鋼製撚り線からなる芯材と、
オーステナイト系ステンレス鋼製撚り線からなる側材とを備えて、
前記側材は、前記芯材に対し、蔓科植物の蔓の巻回方向に沿う方向に間隔をおいて螺旋状に巻装されてなる蔓科植物育成用螺旋状ロープ。
【請求項２】
前記芯材を被覆してなる芯被覆体と、
前記側材を被覆してなる側被覆体とを備えており、
前記芯被覆体及び前記側被覆体は、互いに、同一或いは同種の樹脂材料でもって形成されていることを特徴とする請求項１に記載の蔓科植物育成用螺旋状ロープ。
【請求項３】
前記同一或いは同種の樹脂材料には、前記芯被覆体及び前記側被覆体のうち少なくとも一方において、前記蔓科植物の色調と同化の可能な色調を発現する材料が付加されていることを特徴とする請求項２に記載の蔓科植物育成用螺旋状ロープ。
【請求項４】
前記同一或いは同種の樹脂材料には、前記芯被覆体及び前記側被覆体のうち少なくとも一方において、蔓科植物の色調と補色対比の可能な色調を発現する材料が付加されていることを特徴とする請求項２に記載の蔓科植物育成用螺旋状ロープ。
【請求項５】
前記芯材は、オーステナイト系ステンレス鋼製撚り線からなる芯ストランドであり、
前記側材は、オーステナイト系ステンレス鋼製撚り線からなる１束または複数束の側ストランドであり、
前記１束または複数束の側ストランドの前記撚り線としての各素線の撚り方向は、前記芯ストランドの前記撚り線としての各素線の撚り方向に対し、所定の交叉角をなしていることを特徴とする請求項１に記載の蔓科植物育成用螺旋状ロープ。
【請求項６】
前記芯材は、オーステナイト系ステンレス鋼製撚り線からなる芯ストランドであり、
前記側材は、オーステナイト系ステンレス鋼製撚り線からなる１束または複数束の側ストランドであり、
前記１束または複数束の側ストランドの前記撚り線としての各素線の撚り方向は、前記芯ストランドの前記撚り線としての各素線の撚り方向に対し、所定の交叉角をなしており、
前記芯被覆体は、前記芯材を被覆してなる芯被覆層であり、
前記側被覆体は、前記１束または複数束の側ストランドをそれぞれ被覆してなる側被覆層であり、
前記芯被覆層は、前記側被覆層と前記同一或いは同種の樹脂材料でもって形成されていることを特徴とする請求項２〜４のいずれか１つに記載の蔓科植物育成用螺旋状ロープ。
【請求項７】
前記芯材は、芯ロープ部材でもって構成されており、
前記側材は、側ロープ部材でもって構成されており、
前記芯ロープ部材は、
オーステナイト系ステンレス鋼製撚り線からなる複数束のストランドを撚って形成した芯ストランドと、
オーステナイト系ステンレス鋼製撚り線からなる複数束のストランドを撚って形成されて前記芯ストランドに螺旋状に連続的に巻装してなる複数束の側ストランドとを備えており、
前記側ロープ部材は、前記芯ロープ部材に対し、前記蔓科植物の蔓の巻回方向に沿う方向に間隔をおいて螺旋状に巻装されたオーステナイト系ステンレス鋼製撚り線からなるストランドであることを特徴とする請求項１〜４のいずれか１つに記載の蔓科植物育成用螺旋状ロープ。
【請求項８】
前記側ロープ部材である前記ストランドの前記撚り線としての各素線の撚り方向は、前記芯ロープ部材の前記複数束の側ストランドの前記撚り線としての各素線の撚り方向に対し、所定の交叉角をなしていることを特徴とする請求項７に記載の蔓科植物育成用螺旋状ロープ。
【請求項９】
前記所定の交叉角は、９０°±１０°の範囲以内の角度、好ましくは９０°であることを特徴とする請求項６または８に記載の螺旋状ロープ。
【請求項１０】
請求項１〜９のいずれか１つに記載の蔓科植物育成用螺旋状ロープを、複数、備えて、
前記複数の螺旋状ロープは、所定の張設パターンにて壁面に対向するように、当該壁面に支持されてなる壁面緑化システム。
【請求項１１】
オーステナイト系ステンレス鋼製撚り線からなる芯材及びオーステナイト系ステンレス鋼製撚り線からなる側材を被覆するように同一或いは同種の樹脂材料でもって芯被覆層及び側被覆層を形成し、
前記側材を、前記芯材に対し、蔓科植物の蔓の巻回方向に沿う方向に間隔をおいて螺旋状に巻装するようにした蔓科植物育成用螺旋状ロープの製造方法であって、
前記芯被覆層及び前記側被覆層の少なくとも一方が、分子構造の異なる着色樹脂材料を前記同一或いは同種の樹脂材料に混合してなる第１の同化用着色樹脂材料、或いはメルトインデックスの相違する着色樹脂材料を前記同一或いは同種の樹脂材料に混合してなる第２の同化用着色樹脂材料でもって、前記芯材及び前記側材の少なくとも一方を被覆するように形成される蔓科植物育成用螺旋状ロープの製造方法。
【請求項１２】
オーステナイト系ステンレス鋼製撚り線からなる芯材及びオーステナイト系ステンレス鋼製撚り線からなる側材を被覆するように同一或いは同種の樹脂材料でもって芯被覆層及び側被覆層を形成し、
前記側材を、前記芯材に対し、蔓科植物の蔓の巻回方向に沿う方向に間隔をおいて螺旋状に巻装するようにした蔓科植物育成用螺旋状ロープの製造方法であって、
前記芯被覆層及び前記側被覆層の少なくとも一方が、組成の異なる着色樹脂材料を前記同一或いは同種の樹脂材料に混合してなる第１の補色対比用着色樹脂材料、或いはメルトインデックスの相違する着色樹脂材料を前記同一或いは同種の樹脂材料に混合してなる第２の補色対比用着色樹脂材料でもって、前記芯材及び前記側材の少なくとも一方を被覆するように形成される蔓科植物育成用螺旋状ロープの製造方法。
【発明の詳細な説明】
【技術分野】
【０００１】
本発明は、蔓科植物育成用螺旋状ロープ及びその製造方法並びに当該螺旋状ロープを用いる壁面緑化システムに関するものである。
【背景技術】
【０００２】
従来、この種の螺旋状ロープとしては、下記特許文献１に開示された壁面緑化工法とワイヤ張設装置において採用されているロープがある。このロープは、鋼線を撚り合わせたワイヤ主体に樹脂をコーティングしたものに、金属製芯材に樹脂のコーティングを施した線材を螺旋状に巻きつけた構成となっている。
【特許文献１】特開２００６−３６号公報
【発明の開示】
【発明が解決しようとする課題】
【０００３】
しかしながら、上述した壁面緑化工法とワイヤ張設装置において採用されているロープは、上述のような螺旋状に巻きつけた構成を有するにすぎない。
【０００４】
従って、当該ワイヤ張設装置を蔓科植物に適用するにあたり、上述の線材のワイヤ主体に対する巻き付け方向が、蔓科植物の成長に伴う蔓の巻き特性に合わないと、蔓が、ロープに円滑に巻き付きにくく、脱落したりするという不具合を招く。
【０００５】
また、ロープの外表面の色調が、蔓科植物等の当該ロープの周囲の色調に合わないと、見映えが低下するという不具合を招く。
【０００６】
そこで、本発明は、以上述べたことに対処するために、蔓科植物の成長特性等に適するように構成に工夫を凝らしてなる蔓科植物育成用螺旋状ロープ及びその製造方法並びに当該螺旋状ロープを用いてなる壁面緑化システムを提供することを目的とする。
【課題を解決するための手段】
【０００７】
上記課題の解決にあたり、本発明に係る蔓科植物育成用螺旋状ロープは、請求項１の記載によれば、オーステナイト系ステンレス鋼製撚り線からなる芯材（１０、１０Ａ、Ｒａ、Ｒｃ）と、
オーステナイト系ステンレス鋼製撚り線からなる側材（２０、２０Ａ、Ｒｂ、Ｒｄ）とを備えて、
側材は、芯材に対し、蔓科植物（Ｂ）の蔓（Ｂ１）の巻回方向に沿う方向に間隔をおいて螺旋状に巻装されている。
【０００８】
このように、側材の芯材に対する巻装方向が蔓科植物の蔓の巻回方向に沿う方向である。従って、蔓科植物の蔓の巻回方向が、当該蔓の成長端部側からみて、反時計方向であれば、側材の芯材に対する巻装方向は、当該反時計方向に沿う方向である。このため、この方向に沿うように、螺旋状溝が螺旋状ロープの外周に形成される。
【０００９】
一方、蔓科植物の蔓の巻回方向が、当該蔓の成長端部側からみて、時計方向であれば、側材の芯材に対する巻装方向は、当該時計方向に沿う方向である。このため、この方向に沿うように、螺旋状溝が螺旋状ロープの外周に形成される。
【００１０】
その結果、蔓科植物の蔓の巻回方向が反時計方向及び時計方向のいずれであっても、当該蔓科植物は、蔓を、ロープの螺旋状溝に沿わせて、芯材に対し円滑に巻回させながら成長し得る。
【００１１】
また、上述のごとく、芯材及び側材を構成する材料は、オーステナイト系ステンレス鋼製撚り線である。これによれば、オーステナイト系ステンレス鋼製撚り線の熱伝導率が、一般の炭素鋼の約２分の１程度と低いことから、当該撚り線は、温まりにくく、冷めにくい性質を有する。しかも、芯材及び側材は、上述のように撚り線とすることで、芯材及び側材の各表面積を増大させる構造となっている。このため、夏の日照りのときには、オーステナイト系ステンレス鋼からなる撚り線が、螺旋状ロープの熱放射を助長する。その結果、蔓科植物の熱焼けが良好に防止され得る。
【００１２】
また、本発明は、請求項２の記載によれば、請求項１に記載の蔓科植物育成用螺旋状ロープにおいて、芯材を被覆してなる芯被覆体（６０）と、側材を被覆してなる側被覆体（７０）とを備えており、
芯被覆体及び側被覆体は、互いに、同一或いは同種の樹脂材料でもって形成されていることを特徴とする。
【００１３】
このように、芯材及び側材を被覆する芯被覆体及び側被覆体が、互いに、同一或いは同種の樹脂材料でもって形成されている。このため、芯被覆体とこの芯被覆体に巻装されている側被覆体との間に凝着現象が発生して、芯被覆体と側被覆体との間の滑りを不能にし得る。
【００１４】
その結果、側被覆体で被覆された側材が、芯被覆体で被覆された芯材に巻装された状態において、請求項１に記載の発明の作用効果を達成しつつ、当該側材の芯材に対する巻装位置のずれが確実に防止され得る。
【００１５】
また、本発明は、請求項３の記載によれば、請求項２に記載の蔓科植物育成用螺旋状ロープにおいて、上記同一或いは同種の樹脂材料には、芯被覆体及び側被覆体のうち少なくとも一方において、蔓科植物の色調と同化の可能な色調を発現する材料が付加されていることを特徴とする。
【００１６】
これによれば、芯被覆体及び側被覆体のうち少なくとも一方が、同一或いは同種の樹脂材料に蔓科植物の色調と同化の可能な色調を発現する材料を付加してなる樹脂材料でもって形成されている。
【００１７】
従って、芯被覆体及び側被覆体のうち少なくとも一方が、蔓科植物の色調に同化している。その結果、請求項２に記載の発明の作用効果を達成し得るのは勿論のこと、芯被覆体及び側被覆体のうち少なくとも一方が、蔓科植物に比べて、目立つことがないという特有の作用効果を達成し得る。このような特有の作用効果を達成する当該螺旋状ロープを壁面緑化システムに用いれば、この壁面緑化システムの見映えが良好に維持され得る。
【００１８】
また、本発明は、請求項４の記載によれば、請求項２に記載の蔓科植物育成用螺旋状ロープにおいて、上記同一或いは同種の樹脂材料には、芯被覆体及び側被覆体のうち少なくとも一方において、蔓科植物の色調と補色対比の可能な色調を発現する材料が付加されていることを特徴とする。
【００１９】
これによれば、芯被覆体及び側被覆体のうち少なくとも一方が、同一或いは同種の樹脂材料に蔓科植物の色調と補色対比の可能な色調を発現する材料を付加してなる材料でもって形成されている。
【００２０】
従って、芯被覆体及び側被覆体のうち少なくとも一方の色調が、蔓科植物の色調と補色対比の色調となっている。その結果、請求項２に記載の発明の作用効果を達成し得るのは勿論のこと、芯被覆体及び側被覆体のうち少なくとも一方が、蔓科植物に比べて、目立つことがないという特有の作用効果を達成し得る。このような特有の作用効果を達成する当該螺旋状ロープを壁面緑化システムに用いれば、この壁面緑化システムの見映えが良好に維持され得る。
【００２１】
また、本発明は、請求項５の記載によれば、請求項１に記載の蔓科植物育成用螺旋状ロープにおいて、
芯材は、オーステナイト系ステンレス鋼製撚り線（１１、１２）からなる芯ストランド（１０、１０Ａ）であり、
側材は、オーステナイト系ステンレス鋼製撚り線（２１、２２）からなる１束または複数束の側ストランド（２０、２０Ａ）であり、
上記１束または複数束の側ストランドの撚り線としての各素線の撚り方向は、芯ストランドの撚り線としての各素線の撚り方向に対し、所定の交叉角（α）をなしていることを特徴とする。
【００２２】
これによれば、側ストランドの撚り線としての各素線の撚り方向は、芯ストランドの撚り線としての各素線の撚り方向に対し、上記所定の交叉角をなしているから、いわゆるアンカー効果が、側ストランドと芯ストランドとの間に発生する。
【００２３】
このため、側ストランドの芯ストランドに対する係合力が強固に発生する。これにより、請求項１に記載の発明の作用効果が達成され得るのは勿論のこと、側ストランドの芯ストランドに対する巻装位置のずれが確実に防止され得る。
【００２４】
また、本発明は、請求項６の記載によれば、請求項２〜４のいずれか１つに記載の蔓科植物育成用螺旋状ロープにおいて、
芯材は、オーステナイト系ステンレス鋼製撚り線（１１、１２）からなる芯ストランド（１０、１０Ａ）であり、
側材は、オーステナイト系ステンレス鋼製撚り線（２１、２２）からなる１束または複数束の側ストランド（２０、２０Ａ）であり、
上記１束または複数束の側ストランドの撚り線としての各素線の撚り方向は、芯ストランドの撚り線としての各素線の撚り方向に対し、所定の交叉角（α）をなしており、
芯被覆体は、芯材を被覆してなる芯被覆層（６０）であり、
側被覆体は、上記１束または複数束の側ストランドをそれぞれ被覆してなる側被覆層（７０）であり、
芯被覆層は、上記側被覆層と上記同一或いは同種の樹脂材料でもって形成されていることを特徴とする。
【００２５】
これによれば、１束または複数束の側ストランドの撚り線としての各素線の撚り方向は、芯ストランドの撚り線としての各素線の撚り方向に対し、上記所定の交叉角をなしているから、いわゆるアンカー効果が、上記１束または複数束の側ストランドと芯ストランドとの間に発生する。
【００２６】
このため、上記１束または複数束の側ストランドの芯ストランドに対する係合力が強固に発生する。これにより、請求項２〜４のいずれか１つに記載の発明の作用効果が達成され得るのは勿論のこと、上記１束または複数束の側ストランドの芯ストランドに対する巻装位置のずれが確実に防止され得る。
【００２７】
また、本発明は、請求項７の記載によれば、請求項１〜４のいずれか１つに記載の蔓科植物育成用螺旋状ロープにおいて、
芯材は、芯ロープ部材（Ｒａ）でもって構成されており、
側材は、側ロープ部材（Ｒｂ）でもって構成されており、
芯ロープ部材は、
オーステナイト系ステンレス鋼製撚り線（１１、１２）からなる複数束のストランド（１０、１０Ａ）を撚って形成した芯ストランド（３０）と、
オーステナイト系ステンレス鋼製撚り線（１１、１２）からなる複数束のストランド（１０、１０Ａ）を撚って形成されて芯ストランドに螺旋状に連続的に巻装してなる複数束の側ストランド（４０）とを備えており、
側ロープ部材は、芯ロープ部材に対し、蔓科植物の蔓の巻回方向に沿う方向に間隔をおいて螺旋状に巻装されたオーステナイト系ステンレス鋼製撚り線からなるストランドであることを特徴とする。
【００２８】
これによれば、芯ロープ部材は、オーステナイト系ステンレス鋼製撚り線からなる複数束のストランドで構成した芯ストランドと、オーステナイト系ステンレス鋼製撚り線からなる複数束のストランドをそれぞれ撚ってなる複数束の側ストランドとでもって構成されている。また、側ロープ部材は、オーステナイト系ステンレス鋼製撚り線からなるストランドである。
【００２９】
ここで、このように芯ロープ部材及び側ロープ部材が構成されていても、側ロープ部材の芯ロープ部材に対する巻装方向は蔓科植物の蔓の巻回方向に沿う方向である。
【００３０】
その結果、本請求項７に記載の発明によっても、請求項１〜４のいずれか１つに記載の発明と同様の作用効果が達成され得る。
【００３１】
また、本発明は、請求項８の記載によれば、請求項７に記載の蔓科植物育成用螺旋状ロープにおいて、
側ロープ部材であるストランドの撚り線としての各素線の撚り方向は、芯ロープ部材の複数束の側ストランドの撚り線としての各素線の撚り方向に対し、所定の交叉角（α）をなしていることを特徴とする。
【００３２】
これによれば、側ロープ部材であるストランドの撚り線としての各素線の撚り方向が、芯ロープ部材の複数束の側ストランドの撚り線としての各素線の撚り方向に対し、上記所定の交叉角（α）をなしている。従って、いわゆるアンカー効果が、側ロープ部材と芯ロープ部材との間に発生する。このため、側ロープ部材の芯ロープ部材に対する係合力が強固に発生する。これにより、請求項７に記載の発明の作用効果が達成され得るのは勿論のこと、側ロープ部材の芯ロープ部材に対する巻装位置のずれが確実に防止され得る。
【００３３】
また、本発明は、請求項９の記載によれば、請求項６または８に記載の蔓科植物育成用螺旋状ロープにおいて、上記所定の交叉角は、９０°±１０°の範囲以内の角度、好ましくは９０°であることを特徴とする。
【００３４】
これにより、請求項６または８に記載の発明の作用効果がより一層確実に達成され得る。
【００３５】
また、本発明に係る壁面緑化システムは、請求項１０の記載によれば、
請求項１〜９のいずれか１つに記載の蔓科植物育成用螺旋状ロープを、複数、備えて、
当該複数の螺旋状ロープを、所定の張設パターンにて壁面（Ｗ）に対向するように、当該壁面に支持されてなるものである。
【００３６】
これによれば、上記所定の張設パターンが、例えば、ダイヤクロスパターン、チェッククロスパターン或いはストライプパターンであっても、請求項１〜９のいずれか１つに記載の発明の作用効果を達成し得る壁面緑化システムの提供が可能となる。
【００３７】
また、本発明は、請求項１１の記載によれば、
オーステナイト系ステンレス鋼製撚り線からなる芯材（１０、１０Ａ、Ｒａ）及びオーステナイト系ステンレス鋼製撚り線からなる側材（２０、２０Ａ、Ｒｂ）を被覆するように同一或いは同種の樹脂材料でもって芯被覆層（６０）及び側被覆層（７０）を形成し、
側材を、芯材に対し、蔓科植物（Ｂ）の蔓（Ｂ１）の巻回方向に沿う方向に間隔をおいて螺旋状に巻装するようにした蔓科植物育成用螺旋状ロープの製造方法であって、
芯被覆層及び側被覆層の少なくとも一方が、分子構造の異なる着色樹脂材料を上記同一或いは同種の樹脂材料に混合してなる第１の同化用着色樹脂材料、或いはメルトインデックスの相違する着色樹脂材料を上記同一或いは同種の樹脂材料に混合してなる第２の同化用着色樹脂材料でもって、芯材及び側材の少なくとも一方を被覆するように形成される。
【００３８】
これによれば、芯被覆層及び側被覆層のうち少なくとも一方が、蔓科植物の色調に同化することで、請求項３に記載の発明の作用効果を達成し得る螺旋状ロープの提供が可能となる。
【００３９】
また、本発明は、請求項１２の記載によれば、
オーステナイト系ステンレス鋼製撚り線からなる芯材（１０、１０Ａ、Ｒａ）及びオーステナイト系ステンレス鋼製撚り線からなる側材（２０、２０Ａ、Ｒｂ）を被覆するように同一或いは同種の樹脂材料でもって芯被覆層（６０）及び側被覆層（７０）を形成し、
側材を、芯材に対し、蔓科植物（Ｂ）の蔓（Ｂ１）の巻回方向に沿う方向に間隔をおいて螺旋状に巻装するようにした蔓科植物育成用螺旋状ロープの製造方法であって、
芯被覆層及び側被覆層の少なくとも一方が、組成の異なる着色樹脂材料を上記同一或いは同種の樹脂材料に混合してなる第１の補色対比用着色樹脂材料、或いはメルトインデックスの相違する着色樹脂材料を上記同一或いは同種の樹脂材料に混合してなる第２の補色対比用着色樹脂材料でもって、芯材及び側材の少なくとも一方を被覆するように形成される。
【００４０】
これによれば、芯被覆層及び側被覆層のうち少なくとも一方の色調が、蔓科植物の色調と補色対比の色調となることで、請求項４に記載の発明の作用効果を達成し得る蔓科植物育成用螺旋状ロープの提供が可能となる。
【００４１】
なお、上記各手段の括弧内の符号は、後述する実施形態に記載の具体的手段との対応関係を示す。
【発明を実施するための最良の形態】
【００４２】
以下、本発明の各実施形態を図面により説明する。
（第１実施形態）
図１は、本発明を適用してなる壁面緑化システムの第１実施形態を示している。この壁面緑化システムは複数の蔓科植物育成用螺旋状ロープＲを備えており、これら各螺旋状ロープＲは、図１にて示すごとく、所定の張設パターンの１つであるダイヤクロスパターンにて壁面Ｗに傾斜状に対向するように、当該壁面Ｗの上部と地面との間に、複数の締結金具Ｔでもって支持されている。本第１実施形態では、蔓科植物Ｂが、図１及び図２にて示すごとく、当該壁面緑化システムに沿い成長する例として示されている。
【００４３】
螺旋状ロープＲは、図２及び図３にて示すごとく、芯材１０及び側材２０を備えている。芯材１０は、１本の芯素線１１に、６本の側素線１２をＺ撚りに撚り合わせて撚り線として形成されている（図３参照）。
【００４４】
側材２０は、１本の芯素線２１に、６本の側素線２２をＳ撚りに撚り合わせて撚り線として形成されており、この側材２０は、芯材１０に、その長手方向に沿い、所定の巻回ピッチＰ（図３参照）にて、反時計方向（Ｚ撚りの方向）に螺旋状に巻装されている。これに伴い、溝１０ａが、図２及び図３にて示すごとく、図示上方に向けて芯材１０の外周に沿い反時計方向に、螺旋状に巻回するように形成されている。
【００４５】
なお、上述した「Ｚ撚り」とは、芯材１０を図３にて図示上方からみたとき、芯素線１１に対し各側素線１２を図示上方に向けて反時計方向に撚ることをいい、また、「Ｓ撚り」とは、Ｚ撚りとは逆方向の撚り、即ち、時計方向に撚ることをいう。また、側材２０の芯素線２１及び各側素線２２は、上述した芯材１０の芯素線１１及び各側素線１２と共に、オーステナイト系ステンレス鋼線（ＳＵＳ３０４）でもって形成されている。
【００４６】
ここで、側材２０を芯材１０に対し反時計方向に巻装する根拠について説明する。蔓科植物Ｂを当該壁面緑化システムの各螺旋状ロープＲに沿い円滑に成長させるためには、側材２０の芯材１０に対する巻装方向を蔓科植物Ｂの蔓Ｂ１の成長特性に合わせることが必要であり、一般的に、当該蔓科植物の蔓の巻回方向は、地球の北半球と南半球とで相違する。このような相違は、地球の自転による遠心力に起因すると考えられている。
【００４７】
具体的には、地球の北半球で成長する蔓科植物の蔓は、その成長先端部側から見て、反時計方向（左巻き方向）に巻回しながら成長する。一方、地球の南半球で成長する蔓科植物の蔓は、その成長先端部側から見て、時計方向（右巻き方向）に巻回しながら成長する。
【００４８】
従って、螺旋状ロープＲにおいて、北半球では、側材２０の芯材１０に対する巻装方向を、図４にて矢印で示すごとく、芯材１０の図示上方から見て、北半球で成長する蔓科植物の蔓の巻回方向（上記反時計方向）に合わせる必要がある。一方、南半球でも同様に、図５にて矢印で示すごとく、南半球で成長する蔓科植物の蔓の巻回方向（上記時計方向）に合わせる必要がある。
【００４９】
以上のことから、本第１実施形態では、蔓科植物Ｂが地球の北半球で成長することを前提に、側材２０の芯材１０に対する巻装方向は、図２〜図４にて示すごとく、蔓科植物Ｂの蔓Ｂ１（図２参照）の巻回方向（上記反時計方向）に沿うように、芯材１０の上方から見て、反時計方向に設定されている。
【００５０】
また、本第１実施形態では、螺旋状ロープＲの形成にあたり、専用の撚り線機を用いることなく、適宜な機械を用いて、側材２０を芯材１０に巻装することで、上述の所定の巻回ピッチＰは、任意に設定できる。
【００５１】
なお、専用の撚り線機を用いて、側材２０を芯材１０にそれぞれストランドとして撚り合わせる場合には、上述の所定の巻回ピッチＰは、撚り線機の仕様で決まる撚りピッチに規制される。例えば、当該撚り線機が１束の芯ストランドの周りに６束の側ストランドを同時に撚り合わせる仕様を有すれば、本第１実施形態にいう螺旋状ロープＲは、側ストランドを５束欠落させた状態で、側材２０を芯材１０に撚り合わせることで形成される。
【００５２】
以上のように構成した本第１実施形態では、上述したごとく、螺旋状ロープＲにおいて、側材２０が、地球の北半球で成長する蔓科植物Ｂの蔓Ｂ１の巻回方向に沿うように、上述のごとく、芯材１０に対し反時計方向（Ｚ撚りの方向）に巻装されている。しかも、螺旋状溝１０ａが、上述のごとく、芯材１０の外周に沿い形成されている。
【００５３】
従って、蔓科植物Ｂは、図２にて示すごとく、蔓Ｂ１を、側材２０の螺旋状溝１０ａに沿わせて、芯材１０に対し時計方向に円滑に巻回させながら成長し得る。
【００５４】
また、上述のように側材２０の芯材１０に対する巻装方向が蔓科植物Ｂの蔓Ｂ１の巻回方向に沿うことで、蔓科植物Ｂの螺旋状ロープＲに対する係着力を強固に維持し得る。その結果、当該蔓科植物Ｂは、螺旋状ロープＲから脱落したりすることがなく、当該蔓科植物Ｂの上方への伸長が円滑に助長され得る。
【００５５】
また、上述のように蔓科植物Ｂの螺旋状ロープＲに対する係着力を強固に維持し得ることから、例えば、強風、降雨や地震等が生じても、蔓科植物Ｂの螺旋状ロープＲからの脱落や地上への落下を未然に防止することができ、その結果、当該蔓科植物Ｂの成長を阻害することがない。
【００５６】
また、本第１実施形態によれば、側材２０の芯材１０に対する巻装構造が、上述のことから明らかなように、螺旋状構造であることから、さらに、次のような作用効果が達成され得る。
【００５７】
即ち、ロープＲが螺旋状構造であるため、従来の螺旋状構造を有しないロープにおいて発生しがちであった耳障りな風切り音の発生が抑制され得る。このことは、上述の従来のロープに発生しがちな風騒音が、螺旋状ロープＲによって、大幅に低減され得ることを意味する。
【００５８】
この点につき詳細に述べれば、一般に、風が、図６にて矢印１でもって示すごとく、丸棒２にその左側から吹き付けると、風下側である丸棒２の右側には、カルマン渦列３が、図６にて示すごとく発生して、風騒音を発生させる原因となっている。
【００５９】
これに対し、図６において、本第１実施形態の螺旋状ロープＲが丸棒２に代えて位置すると仮定したとき、このロープＲは、上述のごとく、螺旋状構造を有するため、当該螺旋状ロープＲの風下側におけるカルマン渦列の発生が抑制される。その結果、上述した風騒音の発生が螺旋状ロープＲによって良好に低減され得る。
【００６０】
また、上述のように耳障りな風切り音の発生が抑制されるということは、螺旋状ロープＲの風切り特性が良好であることを意味する。従って、当該螺旋状ロープＲが風圧により受ける力が良好に低減され得る。その結果、次のような作用効果がさらに達成され得る。
【００６１】
従来の多数のロープを用いた壁面緑化システムでは、風圧に耐え得るように、ロープの締結金具に対する引張強度が増大されていた。また、風圧のために、ロープの張設バランスの崩れが発生することから、壁面緑化システムとしての見映えが低下するおそれがあった。従って、ロープの張設状態に対する再調整作業が必要であった。また、強風時、特に台風時においては、過大な引張力が、風圧のために、ロープに作用し、その結果、ロープが締結金具から離脱するおそれがあった。
【００６２】
これに対し、本第１実施形態のように、螺旋状ロープＲを複数用いて壁面緑化システムを構成する場合、この螺旋状ロープＲが上述のように風切り特性の良好な螺旋状構造を有する。このため、この螺旋状ロープＲの締結金具Ｔに対する引張強度を増大させる必要がなく、従って、螺旋状ロープＲの張設状態に対する再調整作業が不要となり、また、張設バランスも適正に確保されて、当該壁面緑化システムの見映えが良好に維持され得る。また、台風の時等においては、上述のように螺旋状ロープＲの締結金具Ｔに対する引張強度を増大させなくても、螺旋状ロープＲが締結金具Ｔから離脱することもない。
【００６３】
また、当該壁面緑化システムは、以下に述べるように、悪天候による降雨で生ずる雨水や、蔓科植物Ｂへの放水に対し、整流作用を発揮するとともに、放水等による水を均一に分散させる作用（分散作用）を発揮する。
【００６４】
以下、このような当該壁面緑化システムの作用について詳細に述べる。当該壁面緑化システムにおいては、複数の螺旋状ロープＲが、上述のごとく、ダイヤクロスパターンを構成するように張設されている。しかも、各螺旋状ロープＲは、上述のごとく、螺旋状溝１０ａを有する。
【００６５】
このため、雨水が螺旋状ロープＲに当たると、当該雨水が、図７にて符号ｆで示すごとく、螺旋状溝１０ａに溜まり、雨水の流れとなる。そして、この雨水の流れは、重力により、図７にて各矢印で示すごとく、螺旋状溝１０ａに沿い流下していく。このことは、螺旋状溝１０ａが、連続する排水溝としての役目を果たし、雨水の流れに対し、整流作用を発揮することを意味する。その結果、上述の雨水の流れは、螺旋状溝１０ａにより整流されて、当該螺旋状溝１０ａから流れ出ることなく、流下し得る。
【００６６】
また、当該壁面緑化システムでは、複数の螺旋状ロープＲが、上述のごとく、ダイヤクロスパターンを構成するように張設されている。このため、隣り合う両螺旋状ロープＲが、そのクロス部Ｃ（図８参照）において、上述のように整流されながら当該両螺旋状ロープＲの各螺旋状溝１０ａを流下する雨水の流れ（図８の各符号ｇ、ｈ参照）に対し、分流作用を発揮する。このため、当該雨水の流れは、上述のように整流されつつ、隣り合う各両螺旋状ロープＲに沿い、そのクロス部Ｃでもって、各矢印ｉ、ｊ（図８参照）にて示すごとく、分流されながら流下していく。
【００６７】
ここで、上述の雨水が蔓科植物への放水であるとすれば、蔓科植物の全体への放水が、その特定部分を地上へ落下させることなく、上述のような整流作用及び分流作用の相乗作用でもって、効率よく、均一に分散するようになされ得る。
【００６８】
なお、雨水が一箇所に集中すると、水はけが悪いために蔓科植物の根腐れを生じ易いが、このような根腐れの発生が、上述のような整流作用と分流作用との相乗作用でもって、適正に低減され得る。
【００６９】
また、本第１実施形態においては、上述のごとく、芯素線１１と側素線１２とからなる撚り線及び芯素線２１と側素線２２とからなる撚り線が、オーステナイト系ステンレス鋼線でもって形成されている。また、芯材１０及び側材２０は、オーステナイト系ステンレス鋼線を所定のダイスでもって伸線加工し、このように伸線加工したオーステナイト系ステンレス鋼線を、複数本、撚り線加工することで形成される。
【００７０】
ここで、オーステナイト系ステンレス鋼線の熱伝導率は、１４（ｋｃａｌ／ｍ．ｈｒ．℃）であって、一般の炭素鋼の約２分の１である。従って、オーステナイト系ステンレス鋼線は、温まりにくく、冷めにくい性質を有する。しかも、上述のように撚り線とすることで、芯材１０及び側材２０の各表面積を増大させる構造となっている。
【００７１】
これにより、夏の日照りのときには、芯材１０及び側材２０の熱放射が助長される。その結果、蔓科植物の熱焼け等が良好に防止され得る。
【００７２】
さらには、本第１実施形態の螺旋状ロープＲの外周面は、撚り線構造のため、凸状かつ螺旋状となっているから、当該螺旋状ロープＲの外周面の面積が増大されている。このため、螺旋状ロープＲとしての熱放射が促進されて、上述した蔓科植物の熱焼けの防止がより一層向上され得る。
【００７３】
なお、上述の撚り線の各オーステナイト系ステンレス鋼線は、上述のごとく、ダイスでもって、伸線加工されているから、当該撚り線の表面は、概ね、鏡面状となっている。このため、当該撚り線、即ち芯材１０や側材２０の表面の水滴との接触角が小さく、雨水の地面への排水作用が高いといえる。
（第２実施形態）
図９及び図１０は、本発明の第２実施形態の要部を示している。この第２実施形態では、蔓科植物育成用螺旋状ロープＲ１が、上記第１実施形態にて述べた螺旋状ロープＲに代えて、図９にて示すごとく、採用されている。なお、この螺旋状ロープＲ１は、複数、上記第１実施形態にて述べたと同様に、ダイヤクロスパターンにて壁面Ｗに対向するように、複数の締結金具Ｔでもって支持されて、当該壁面緑化システムを構成している。
【００７４】
螺旋状ロープＲ１は、芯ロープ部材Ｒａ及び側ロープ部材Ｒｂを備えており、側ロープ部材Ｒｂは、芯ロープ部材Ｒａにその長手方向に沿い所定の巻回ピッチ（１３．８（ｍｍ））にて反時計方向（Ｚ撚りの方向）（図９及び図１０参照）に巻装されている。これに伴い、芯ロープ部材Ｒａの外周には、螺旋状溝１０ｂが形成されている。
【００７５】
芯ロープ部材Ｒａは、図１０にて示すごとく、７×７の複撚り構成にて、１束の芯ストランド３０及び６束の側ストランド４０を備えている。芯ストランド３０は、上記第１実施形態にて述べた芯材１０である撚り線を７本用い、Ｚ撚りの撚り線として形成されている。なお、ここでいう７×７の複撚り構成とは、１束７本の撚り線を７束撚り合わせたロープ構造のことをいう。
【００７６】
６束の側ストランド４０は、当該側ストランド毎に、上記第１実施形態にて述べた芯材１０である撚り線を７本用い、Ｓ撚りの撚り線として形成されている。
【００７７】
本第２実施形態において、芯ロープ部材Ｒａにおいて、芯ストランド３０の外径は、０．７７（ｍｍ）であり、芯ストランド３０の芯を構成する素線外径は、０．２７（ｍｍ）であり、側を構成する側ストランドの素線外径は０．２５（ｍｍ）である。また、側ストランド４０の外径は、０．６６（ｍｍ）であり、側ストランド４０の芯を構成する素線外径及び側を構成する側ストランドの素線外径は、共に、０．２２（ｍｍ）である。
【００７８】
側ロープ部材Ｒｂは、図１０にて示すごとく、１本の芯素線５１に対し、撚りピッチ（６．４０（ｍｍ））にて、６本の側素線５２をＺ撚りに撚り合わせて撚り線として構成されている。本実施形態では、芯素線５１及び各側素線５２は、上述のオーステナイト系ステンレス鋼線でもって形成されている。なお、側ロープ部材Ｒｂの外径は、０．６（ｍｍ）である。また、当該側ロープ部材Ｒｂの芯素線５１及び側素線５２の各外径は、０．２２（ｍｍ）及び０．２０（ｍｍ）である。
【００７９】
このように構成した螺旋状ロープＲ１によれば、側ロープ部材Ｒｂは、その撚り線としての各側素線５２の撚り方向にて、芯ロープ部材Ｒａの各側ストランド４０の撚り線としての各側素線の撚り方向に対し、所定の交叉角（以下、交叉角αという）をなすように、巻装されている。
【００８０】
本第２実施形態において、上述した交叉角αは、９０°±１０°の範囲以内の角度に設定されている。このように設定した根拠は、次の通りである。
【００８１】
芯ロープ部材Ｒａにおける各側ストランド４０の撚り線としての各側素線の撚り方向が、当該芯ロープ部材Ｒａに巻装した側ロープ部材Ｒｂの撚り線としての各側素線の撚り方向に対し、概ね、直交することで、側ロープ部材Ｒｂの芯ロープ部材Ｒａに対する巻装位置のずれが防止され得る。従って、交叉角αは９０°であることが最も好ましいといえる。
【００８２】
これに対し、交叉角αにつきさらに検討したところ、当該交叉角αは、好ましくは、９０°±１０°の範囲以内の角度であれば、上述の側ロープ部材Ｒｂの芯ロープ部材Ｒａに対する巻装位置のずれを防止し得ることが確認できた。このため、本第２実施形態では、上述のように交叉角が設定されている。その他の構成は、上記第１実施形態と同様である。
【００８３】
このように構成した本第２実施形態では、螺旋状ロープＲ１において、側ロープ部材Ｒｂが、地球の北半球で成長する蔓科植物Ｂの蔓Ｂ１の巻回方向に沿うように、芯ロープ部材Ｒａに対し反時計方向（Ｚ撚りの方向）に巻装されている。しかも、螺旋状溝１０ｂが、上述のごとく、芯ロープ部材Ｒａの外周に形成されている。
【００８４】
その結果、上記第１実施形態にて述べた螺旋状ロープＲ及び当該壁面緑化システムによる作用効果と同様の作用効果が、本第２実施形態における螺旋状ロープＲ１及び壁面緑化システムにおいても、達成され得る。
【００８５】
また、螺旋状ロープＲ１においては、側ロープ部材Ｒｂが、上述したごとく、その撚り線としての各側素線５２にて、芯ロープ部材Ｒａの各側ストランド４０の撚り線としての各側素線の撚り方向に対し、９０°±１０°の範囲以内の角度をなすように、即ち、ほぼ直交するように、芯ロープ部材Ｒａに巻装されている。
【００８６】
本実施形態では、芯ロープ部材Ｒａの外表面に現れる側ストランド４０の側素線の方向が、芯ロープ部材Ｒａの長手方向とほぼ平行となり、当該長手方向と側ロープ部材Ｒｂの側素線５２の方向とがほぼ直交する。
【００８７】
このため、いわゆるアンカー効果が、螺旋状ロープＲ１において、側ロープ部材Ｒｂと芯ロープ部材Ｒａとの間に発生し、側ロープ部材Ｒｂの芯ロープ部材Ｒａに対する係合力を強固に発生させる。これにより、側ロープ部材Ｒｂの芯ロープ部材Ｒａに対する巻装位置のずれが確実に防止され得る。
【００８８】
その結果、螺旋状ロープＲ１を張設するにあたっては、当該螺旋状ロープＲ１を、一定張力でもって、均一に張設することが可能となるのは勿論のこと、風圧又は蔓科植物Ｂの手入れや伐採時等に螺旋状ロープＲ１に作用する外的引張力が発生しても、螺旋状ロープＲ１の側ロープ部材Ｒｂが芯ロープ部材Ｒａに対し位置ずれを生じることもない。
（第３実施形態）
図１１は、本発明の第３実施形態の要部を示している。この第３実施形態において、蔓科植物育成用螺旋状ロープＲ２が、上記第１実施形態にて述べた螺旋状ロープＲ（図３参照）に代えて、採用されている。なお、この螺旋状ロープＲ２は、複数、上記第１実施形態にて述べたと同様に、ダイヤクロスパターンにて壁面Ｗに対向するように、複数の締結金具Ｔでもって支持されて、当該壁面緑化システムを構成している。
【００８９】
当該螺旋状ロープＲ２は、側ストランドを欠落構成とする複撚りのロープからなるもので、当該螺旋状ロープＲ２は、上記第１実施形態にて述べた芯材１０である撚り線を、本第３実施形態の芯ストランド（以下、芯ストランド１０Ａという）として採用するとともに、上記第１実施形態にて述べた側材２０である撚り線を、４本、本第３実施形態の４束の側ストランド（以下、４束の側ストランド２０Ａという）として採用して構成されている。
【００９０】
ここで、螺旋状ロープＲ２は、１束の芯ストランド及び６束の側ストランドを同時に撚る仕様を有する専用の撚り線機を用いて形成されるため、側ストランド２０Ａを４束とすることは、螺旋状ロープＲ２が、２束の側ストランド（図１１にて二点鎖線で示す円参照）を欠落したロープとして、形成されることを意味する。
【００９１】
即ち、４束の側ストランド２０Ａは、上記専用の撚り線機でもって、その固有の撚りピッチにて、芯ストランド１０Ａに対し、同時に、Ｚ撚りに撚られている。これに伴い、芯ストランド１０Ａの外周には、螺旋状溝１０ｃが、欠落した２束の側ストランドに対応して形成されている。その他の構成は、上記第１実施形態と同様である。
【００９２】
このように構成した本第３実施形態においては、上述したごとく、螺旋状ロープＲ２において、４束の側ストランド２０Ａが、地球の北半球で成長する蔓科植物Ｂの蔓Ｂ１の巻回方向（反時計方向）に沿うように、芯ストランド１０Ａに対し反時計方向（Ｚ撚りの方向）に巻装されている。しかも、芯ストランド１０Ａの外周には、螺旋状溝１０ｃが、上述したごとく、形成されている（図１１参照）。
【００９３】
従って、蔓科植物Ｂは、上記第１実施形態にて述べたと同様に、蔓Ｂ１を、螺旋状溝１０ｃに沿わせて、芯ストランド１０Ａに対し時計方向に円滑に巻回させながら成長する。その結果、本第３実施形態によっても、上記第１実施形態にて述べたと同様の作用効果が達成され得る。
【００９４】
また、上述のように、螺旋状ロープＲ２は、２束の側ストランドを欠落させた構成とすることで、通常のロープと同様に製造することができ、その結果、大量生産に適している。
【００９５】
また、上述のように、螺旋状ロープＲ２は、複撚り構造で、２束の側ストランドを欠落させた構成であることから、螺旋状ロープＲ２の表面が、より凹凸形状の螺旋状となっている。このため、螺旋状ロープＲ２は、その外表面積を増大させた構造となっている。その結果、螺旋状ロープＲ２の熱放射が促進されて蔓科植物の熱焼けが防止され得る。
【００９６】
なお、上記第３実施形態においては、螺旋状ロープＲ２を、上述のごとく、２束の側ストランドを欠落させた構成とした例について説明したが、これに限らず、当該螺旋状ロープＲ２を、１束及び３束〜５束のいずれかを欠落させた構成としても、上記第３実施形態にて述べたと実質的に同様の作用効果が達成され得る。
【００９７】
ちなみに、一般的には、例えば、外径２（ｍｍ）の撚り構成の７束×７本の側ストランドに対して、側ストランドの束数を２束或いは３束少なくした５束×７本或いは４束×７本の撚り構成を用いて、芯ストランドと各側ストランドとを同時に撚り合わせて形成する。
（第４実施形態）
図１２は、本発明の第４実施形態の要部を示している。この第４実施形態では、上述した第３実施形態にて述べた各側ストランド２０Ａの撚り線としての各側素線２２の撚り方向が、共に、芯ストランド１０Ａの撚り線としての各側素線１２の撚り方向に対し、上述の交叉角α（＝９０°±１０°の範囲以内の角度）をなすように、各側ストランド２０Ａが芯ストランド１０Ａに撚り合わされている。その他の構成は、上記第３実施形態と同様である。
【００９８】
このように構成した本第４実施形態においては、４束の側ストランド２０Ａが、上述したごとく、その撚り線としての各側素線２２の撚り方向にて、芯ストランド１０Ａの撚り線としての各側素線１２の撚り方向に対し、９０°±１０°の範囲以内の角度をなすように、即ち、ほぼ直交するように撚られて、芯ストランド１０Ａに撚り合わされている。
【００９９】
このため、上述したアンカー効果が、螺旋状ロープＲ２において、各側ストランド２０Ａと芯ストランド１０Ａとの間に発生し、各側ストランド２０Ａの芯ストランド１０Ａに対する係合力を強固に発生させる。これにより、各側ストランド２０Ａの芯ストランド１０Ａに対する巻装位置のずれが確実に防止され得る。
【０１００】
その結果、螺旋状ロープＲ２を張設するにあたっては、当該螺旋状ロープＲ２を、一定張力でもって、均一に張設することが可能となるのは勿論のこと、風圧又は蔓科植物Ｂの手入れや伐採時等に各螺旋状ロープＲ２に作用する外的引張力が発生しても、螺旋状ロープＲ２の各側ストランド２０Ａが芯ストランド１０Ａに対し位置ずれを生じることもない。その他の作用効果は上記第３実施形態と同様である。
【０１０１】
ちなみに、螺旋状ロープＲ２、芯ストランド１０Ａ及び各側ストランド２０Ａの仕様を次の表１にて示すように選定したとき、上記交叉角は、α＝９５．２°として得られた。但し、芯ストランド１０Ａの芯素線の外径及び側素線の外径は、それぞれ、０．２７（ｍｍ）及び０．２５（ｍｍ）とする。また、側ストランド２０Ａの芯素線の外径及び側素線の外径は、共に、０．２２（ｍｍ）とする。
【表１】
2007306858.tif 000003
この表１において、螺旋状ロープＲ２の撚りピッチとは、芯ストランド１０Ａに対する４束の側ストランド２０Ａの撚りピッチをいう。芯ストランド１０Ａの撚りピッチとは、芯素線１１に対する６本の側素線１２の撚りピッチをいう。また、側ストランド２０Ａの撚りピッチとは、芯素線２１に対する６本の側素線２２の撚りピッチをいう。
【０１０２】
上述のように交叉角αが９５．２°であることから、当該交叉角は、９０°±１０°の範囲以内の角度を満たす。従って、各側ストランド２０Ａの芯ストランド１０Ａに対する位置ずれが確実に防止され得ることが分かる。
（第５実施形態）
図１３〜図１５は、本発明の第５実施形態の要部を示している。この第５実施形態では、蔓科植物育成用螺旋状ロープＲ３が、上記第１実施形態にて述べた螺旋状ロープＲに代えて、採用されている。なお、この螺旋状ロープＲ３は、複数、上記第１実施形態にて述べたと同様に、ダイヤクロスパターンにて壁面Ｗに対向するように、複数の締結金具Ｔでもって支持されて、当該壁面緑化システムを構成している。
【０１０３】
螺旋状ロープＲ３は、図１３にて示すごとく、芯ロープ部材Ｒｃ及び側ロープ部材Ｒｄを備えている。芯ロープ部材Ｒｃは、図１４にて示すごとく、上記第１実施形態にて述べた芯材１０と、芯被覆層６０とでもって構成されており、芯被覆層６０は、樹脂材料でもって芯材１０を被覆するように形成されている。
【０１０４】
一方、側ロープ部材Ｒｄは、図１５にて示すごとく、上記第１実施形態にて述べた側材２０と、側被覆層７０とでもって構成されており、側被覆層７０は、樹脂材料でもって側材２０を被覆するように形成されている。
【０１０５】
しかして、螺旋状ロープＲ３においては、側ロープ部材Ｒｄが、芯ロープ部材Ｒｃの芯被覆層６０の外周に沿い、当該芯ロープ部材Ｒｃに対し反時計方向（Ｚ撚りの方向）に所定の巻回ピッチにて巻装されている。なお、芯ロープ部材Ｒｃ（或いは芯被覆層６０）の外径は、２．４（ｍｍ）である。側ロープ部材Ｒｄ（或いは側被覆層７０）の外径及び巻回ピッチは、１．８及び８．４（ｍｍ）である。また、側ロープ部材Ｒｄの巻装後の螺旋外径は、５．７（ｍｍ）である。
【０１０６】
本第５実施形態においては、上述した芯被覆層６０及び側被覆層７０を形成する各樹脂材料としては、同一或いは同種の樹脂材料が採用されている。これは、芯ロープ部材Ｒｃと側ロープ部材Ｒｄとの間の滑りを不能にして、側ロープ部材Ｒｄの芯ロープ部材Ｒｃに対する巻装位置のずれ（螺旋状ロープＲ３のピッチずれ）を防ぐためである。
【０１０７】
このようにピッチずれが防止され得るのは、上述のように同一或いは同種の樹脂材料を用いることで、芯ロープ部材Ｒｃの芯被覆層６０と芯ロープ部材Ｒｃに上述のように巻装された側ロープ部材Ｒｄの側被覆層７０との間に凝着現象が発生し、その結果、芯ロープ部材Ｒｃと側ロープ部材Ｒｄとの間の滑りを不能にするためと推測される。
【０１０８】
本実施形態において、上述の同一の樹脂材料を例示すれば、芯被覆層６０及び側被覆層７０の双方に用いられる形成材料として、ポリアミド、ポリ塩化ビニル、ポリウレタン或いはポリプロピレンが挙げられる。
【０１０９】
また、上述の同種の樹脂材料を例示すれば、第１には、芯被覆層６０及び側被覆層７０の一方の形成材料をポリアミドとしたとき、他方の形成材料として、ポリアミドエラストマー材が挙げられる。
【０１１０】
ここで、ポリアミドエラストマー材としては、ポリアミドとポリエーテルとのブロック共重合体が挙げられる。
【０１１１】
第２には、芯被覆層６０及び側被覆層７０の一方の形成材料をポリアミドとしたとき、他方の形成材料として、柔軟性を付与するための可塑剤を添加してなるポリアミドが挙げられる。
【０１１２】
さらには、芯被覆層６０及び側被覆層７０の一方の形成材料を、ポリアミドに代えて、ポリプロピレンとしたとき、他方の形成材料として、ポリプロピレンエラストマー材が挙げられる。このポリプロピレンエラストマー材としては、ＥＰＴ或いはＥＰＲが挙げられる。
【０１１３】
なお、ポリアミドに代わるポリ塩化ビニルに対しては、可塑剤添加のポリ塩化ビニルが挙げられ、また、ポリウレタンに対しては、ポリウレタンエラストマー材が挙げられる。さらに補足すれば、芯被覆層６０及び側被覆層７０の一方を形成する樹脂材料の主成分が、同一或いは同種の材料であればよい。その他の構成は、上記第１実施形態と同様である。
【０１１４】
このように構成した本第５実施形態においては、芯ロープ部材Ｒａの芯被覆層６０及び側ロープ部材Ｒｂの側被覆層７０が、互いに、上述のごとく同一或いは同種の樹脂材料でもって形成されている。
【０１１５】
このため、芯ロープ部材Ｒｃの芯被覆層６０と当該芯ロープ部材Ｒｃに巻装された側ロープ部材Ｒｄの側被覆層７０との間に凝着現象が発生して、芯ロープ部材Ｒｃ及び側ロープ部材Ｒｄの間の滑りを不能にする。その結果、螺旋状ロープＲ３のピッチずれ、即ち、側ロープ部材Ｒｄの芯ロープ部材Ｒｃに対する巻装位置のずれが確実に防止され得る。
【０１１６】
また、芯被覆層６０及び側被覆層７０は、共に、樹脂材料からなるため、当該芯被覆層６０及び側被覆層７０の各熱伝導率は、芯材１０や側材２０を構成する鋼線のような金属線に比べて、極めて低い。
【０１１７】
ここで、芯材１０及び側材２０は、上述のことから分かるように、オーステナイト系ステンレス鋼線の撚り線でもって構成されている。また、当該撚り線の外周面は、凸状の螺旋形状となっているため、芯材１０及び側材２０の各外表面が増大している。
【０１１８】
従って、このような増大した外表面を有する芯材１０及び側材２０を、上述のように、芯被覆層６０及び側被覆層７０でもって被覆することで、蔓科植物への熱伝導率が大幅に低下され得る。その結果、本第５実施形態の螺旋状ロープＲ３によれば、夏の日照等における蔓科植物Ｂの熱焼けが大きく低減され得る。なお、補足すれば、上述のように増大した芯材１０及び側材２０の各外表面により、芯材１０と芯被覆層６０との間の係着力及び側材２０と側被覆層７０との間の係着力を向上させることができる。
【０１１９】
また、後述するように、上述の同一或いは同種の樹脂材料に着色顔料を添加することで、芯被覆層６０及び側被覆層７０において多彩な色調を得ることができる。
【０１２０】
さらに、付言すれば、芯ロープ部材Ｒｃ及び側ロープ部材Ｒｄの間の固着強度を向上させるため、芯ロープ部材Ｒｃを、大気圧以上の加圧窒素ガスを充填した接着剤を収納してなる接着剤塗布室の内部を通過させるようにして、芯被覆層６０の外周面に接着剤を付着させ、その後、芯ロープ部材Ｒｃに対し側ロープ部材Ｒｄを上述のごとく螺旋状に巻装した上で、乾燥室を通過させるようにしてもよい。
【０１２１】
これにより、側ロープ部材Ｒｄは、その側被覆層７０にて、芯ロープ部材Ｒｃの芯被覆層６０に強固に接着され得る。なお、上記接着剤としては、「イソシアネート基を末端にもつ、例えば、坂井化学工業株式会社製の商品記号ＧＦ−１００Ａ・Ｂの接着剤」を用いる。
【０１２２】
また、本第５実施形態において、上記第２実施形態と実質的に同様に、側材２０の撚り線としての各側素線の撚り方向が、芯材２０の撚り線としての各側素線の撚り方向に対し上記交叉角α（＝９０°±１０°の範囲以内の角度）をなしていれば、上述の芯被覆層６０及び側被覆層７０の間の凝着現象と相俟って、側ロープ部材Ｒｄの芯ロープ部材Ｒｃに対する巻装位置のずれが、より一層、確実に防止され得る。その他の作用効果は、上記第１実施形態と同様である。
（第６実施形態）
次に、本発明の第６実施形態について説明する。この第６実施形態は、上記第５実施形態に適用する例として、以下のようなことを前提に提案されている。
【０１２３】
一般的に、本発明にいう壁面緑化システムの螺旋状ロープの外表面の色調に限ることなく、従来の壁面緑化システムのロープの外表面の色調が、壁面緑化システムに沿い成長する蔓科植物の蔓、葉や花の色調、或いは壁面緑化システムの背景となる壁面の色調に適合する条件（以下、適合条件という）を満たさないと、ロープが、目立ってしまい、壁面緑化システムとしての見映えの低下を招くという不具合がある。従って、本発明においても、螺旋状ロープの外表面の色調が、上述の適合条件を満たしていることが望ましい。
【０１２４】
これに対しては、樹脂材料の着色容易性を利用すれば、上述の第５実施形態にて述べた芯被覆層６０及び側被覆層７０の少なくとも一方の色調を、蔓科植物の蔓、葉や花の色調、或いは当該壁面緑化システムの背景である壁面の色調に同化させることが可能である。ここで、当該同化とは、芯被覆層６０及び側被覆層７０の少なくとも一方の色調を蔓科植物の蔓、葉や花の色調、或いは当該壁面緑化システムの背景である壁面の色調に適合させることをいう。なお、当該同化は、上記適合条件を満たす一例である。
【０１２５】
そこで、本第６実施形態では、芯被覆層６０及び側被覆層７０の少なくとも一方の色調を蔓科植物の蔓、葉や花の色調、或いは背景である壁面の色調に同化させて、当該壁面緑化システムとしての見映えを良好に維持することを解決課題としている。
【０１２６】
そして、本第６実施形態では、このような解決課題を前提に、上記第５実施形態にて述べた芯被覆層６０及び側被覆層７０の少なくとも一方の色調を蔓科植物の蔓や葉の色調、或いは背景である壁面の色調に同化させた。
【０１２７】
具体的には、蔓科植物Ｂの蔓Ｂ１や葉Ｂ２（図２参照）の色調、或いは背景である壁面Ｗの色調を考慮して、芯被覆層６０及び側被覆層７０の少なくとも一方の色調を、斑点模様、木目調模様或いは石目調模様とすることで、上述の同化を実現させた。
【０１２８】
例えば、蔓科植物Ｂの蔓Ｂ１の色調が淡緑色のときには、芯被覆層６０及び側被覆層７０の少なくとも一方の色調を、白色の素地に緑の斑点を多数形成した斑点模様とする。
【０１２９】
これにより、芯被覆層６０及び側被覆層７０の少なくとも一方の色調が、蔓科植物Ｂの蔓Ｂ１及び葉Ｂ２の各緑の双方の色調を兼備して、蔓科植物Ｂの色調と同化し得る。さらに、補足すれば、例えば、蔓科植物の葉の色調は、緑色であっても、全ての葉が同一の明度や彩度を有する色調ではなく、これらが複合して濃い緑の部分とそうでない部分とがあり、このような場合において、上記斑点模様により、同化させることができる。
【０１３０】
また、蔓科植物Ｂの蔓Ｂ１の色調が茶褐色のときには、芯被覆層６０及び側被覆層７０の少なくとも一方の色調を、茶色の木目調模様とする。これにより、芯被覆層６０及び側被覆層７０の少なくとも一方の色調が、蔓科植物Ｂの蔓Ｂ１の色調と同化し得る。
【０１３１】
また、蔓科植物Ｂが成長した際には、蔓科植物Ｂの葉Ｂ２が大きく育つため、螺旋状ロープＲ３が葉Ｂ２の陰となる。しかし、蔓科植物Ｂを植えた初期には、当該壁面緑化システムのダイヤクロスパターンに張設した螺旋状ロープＲ３が露出している。このため、当該螺旋状ロープＲ３が背景である壁面Ｗと比較して目立つ。
【０１３２】
このときには、壁面Ｗが、例えば、大理石調であれば、芯被覆層６０及び側被覆層７０の少なくとも一方の色調を石目調模様とする。これにより、芯被覆層６０及び側被覆層７０の少なくとも一方の色調である石目調模様が、壁面Ｗの色調である大理石調と同化し得る。特に、蔓科植物の種類によっては、高層階へ達するのに１〜２年以上かかるものがある。従って、成長に時間がかかる蔓科植物にあっては、高層階の壁面緑化等の際には好適である。
【０１３３】
次に、上記第５実施形態にて述べた螺旋状ロープＲ３において、上述のように同化させる色調を芯被覆層６０及び側被覆層７０の少なくとも一方に発現させるにあたっては、当該螺旋状ロープＲ３を次のようにして製造する。
（１）第１の製造方法
芯材１０及び各側材２０を上記第５実施形態にて述べたように形成する。また、分子構造の異なる樹脂材料を着色して、この着色樹脂材料を、上記第５実施形態にて述べた樹脂材料（上記同一或いは同種の樹脂材料）に混合して、第１の同化用着色樹脂材料を作製し、この第１の同化用着色樹脂材料でもって、芯材１０及び側材２０のうち少なくとも一方を被覆するように芯被覆層６０及び側被覆層７０の少なくとも一方を成形して、芯ロープ部材Ｒｃ及び側ロープ部材Ｒｄを製造する。なお、芯材１０及び側材２０のうち上記第１の同化用着色樹脂材料を用いて被覆されないものは、上記第５実施形態にて述べた樹脂材料（上記同一或いは同種の樹脂材料）でもって、被覆される。
【０１３４】
ついで、側ロープ部材Ｒｄを、上記第５実施形態にて述べたと同様に、芯ロープ部材Ｒｃにその長手方向に沿い間隔をおいて螺旋状に巻装する。この際、側ロープ部材Ｒｄの芯ロープ部材Ｒｃに対する巻装方向が、地球の北半球で成長する蔓科植物（Ｂ）の蔓（Ｂ１）の巻回方向に沿う方向となるように、側ロープ部材Ｒｄを芯ロープ部材Ｒｃに巻装する。
【０１３５】
以上のように、上記第５実施形態にて述べた螺旋状ロープＲ３において、芯被覆層６０及び側被覆層７０の少なくとも一方を上記第１の同化用着色樹脂材料でもって被覆することで、本第６実施形態における螺旋状ロープが製造される。
【０１３６】
このように製造した螺旋状ロープを壁面緑化システムに張設すれば、上記第５実施形態にて述べた作用効果が達成され得るのは勿論のこと、芯被覆層６０及び側被覆層７０の少なくとも一方の色調を蔓科植物の色調と同化させた色調が達成され得る。その結果、本第６実施形態で製造した螺旋状ロープが、蔓科植物に対して、目立つことがない。
（２）第２の製造方法
芯材１０及び各側材２０を上述と同様に形成する。また、メルトインデックス（ＭＩ）の相違する着色樹脂材料を、上記第５実施形態にて述べた樹脂材料（上記同一或いは同種の樹脂材料）に混合して、第２の同化用着色樹脂材料を作製し、この第２の同化用着色樹脂材料でもって、芯材１０及び各側材２０のうち少なくとも一方を被覆するようにして芯被覆層６０及び側被覆層７０の少なくとも一方を成形して、芯ロープ部材Ｒｃ及び側ロープ部材Ｒｄを製造する。なお、芯材１０及び側材２０のうち上記第２の同化用着色樹脂材料を用いて被覆されないものは、上記第５実施形態にて述べた樹脂材料（上記同一或いは同種の樹脂材料）でもって、被覆される。上述の工程以外の各工程及び作用効果は、上述の第１の製造方法と同様である。
（３）より具体的には、以下の製造方法がある。
（ａ）斑点模様を発現する方法
有機酸化物と架橋反応する可塑性樹脂材料或いはエラストマーに、染色顔料及び有機過酸化物を配合したものでもって、芯材１０及び側材２０のうち少なくとも一方を被覆成形して、芯ロープ部材Ｒｃ及び側ロープ部材Ｒｄの少なくとも一方を製造する。これにより、芯ロープ部材Ｒｃの芯被覆層６０及び側ロープ部材Ｒｄの側被覆層７０の少なくとも一方は、その外表面にて、斑点模様を発現し得る。
（ｂ）木目調模様を発現する方法
メルトインデックスが５以下である高密度ポリエチレンに無機粉体及び着色剤を混合してなる着色剤組成物を、オレフィン系樹脂材料に添加したものを用いて、芯材１０及び側材２０のうち少なくとも一方を被覆成形して、芯ロープ部材Ｒｃ及び側ロープ部材Ｒｄの少なくとも一方を製造する。これにより、芯被覆層６０及び側被覆層７０の少なくとも一方は、その外表面にて、木目調模様を発現し得る。
（ｃ）石目調模様を発現する方法
メルトインデックスが小さくて融点の高い着色剤、または上述の斑点模様を発現する方法で採用した配合剤に架橋反応性のない通常の熱可塑性樹脂を適量添加した上でこの添加量を調節したものを用いて、芯材１０及び側材２０のうち少なくとも一方を被覆成形して、芯ロープ部材Ｒｃ及び側ロープ部材Ｒｄの少なくとも一方を製造する。これにより、芯被覆層６０及び側被覆層７０の少なくとも一方は、その外表面にて、流れ模様の石目調模様を発現させ得る。なお、その他の構成及び作用効果は、上記第５実施形態と同様である。
（第７実施形態）
次に、本発明の第７実施形態について説明する。この第７実施形態は、上記第５実施形態に適用する例として、以下のようなことを前提に提案されている。
【０１３７】
この第７実施形態では、上述の第６実施形態で述べた樹脂材料の着色容易性を利用して、第６実施形態で述べた同化とは異なり、芯被覆層６０及び側被覆層７０の少なくとも一方の色調を、蔓科植物の蔓、葉や花の色調、或いは当該壁面緑化システムの背景である壁面の色調と補色対比の色調にして、当該壁面緑化システムとしての見映えを良好に維持することを解決課題としている。なお、上記補色対比は、上記第６実施形態にて述べた適合条件を満たす他の例である。
【０１３８】
しかして、本第７実施形態では、上述のような解決課題を前提に、上記第５実施形態にて述べた芯被覆層６０及び側被覆層７０の少なくとも一方の色調を、蔓科植物Ｂの色調、或いは当該壁面緑化システムの背景である壁面Ｗの色調と補色対比の色調にした。
【０１３９】
具体的には、芯被覆層６０及び側被覆層７０の少なくとも一方の色調を、蔓科植物Ｂの花の色調と補色対比の色調とする。
【０１４０】
例えば、蔓科植物Ｂの花の色が「赤色」であれば、芯被覆層６０及び側被覆層７０の少なくとも一方の色調は「緑色」とする。これにより、より鮮やかな「赤色」を演出させることができる。これは、「赤色」と「緑色」とは、色相環では、互いに反対色で補色対比の関係にあるからである。
【０１４１】
また、芯被覆層６０及び側被覆層７０の少なくとも一方の色調は、上記第６実施形態と同様に、斑点模様、木目調模様或いは石目調模様としてもよく、その際、明度及び彩度のいずれか一方又は明度・彩度の双方の高い彩色と補色対比の関係にあればよい。
【０１４２】
次に、上記第５実施形態にて述べた螺旋状ロープＲ３において、上述のように補色対比の色調を芯被覆層６０及び側被覆層７０の少なくとも一方に発現させるにあたっては、当該螺旋状ロープＲ３を次のようにして製造する。
（１）第１の製造方法
この第１の製造方法は、上記第６実施形態にて述べた第１の製造方法とは、第１の同化用着色樹脂材料ではなく、組成の異なる樹脂材料を着色してなる着色樹脂材料を上記第５実施形態にて述べた樹脂材料（上記同一或いは同種の樹脂材料）に混合して作製した第１の補色対比用着色樹脂材料でもって、芯材１０及び側材２０のうち少なくとも一方を被覆成形する点において異なる。
【０１４３】
これによれば、上述した同化による色調とは異なり、蔓科植物Ｂの花の色調と補色対比の色調が、芯被覆層６０及び側被覆層７０の少なくとも一方において達成され得る。その結果、本第７実施形態で製造した螺旋状ロープが、蔓科植物Ｂに対して、目立つことがない。なお、その他の構成及び作用効果は、上記第５実施形態と同様である。
（２）第２の製造方法
この第２の製造方法は、本第７実施形態の上記第１の製造方法とは、上記第１の同化用着色樹脂材料ではなく、メルトインデックス（ＭＩ）の相違する補色対比用着色樹脂材料を上記第５実施形態にて述べた樹脂材料に混合して作製してなる第２の補色対比用着色樹脂材料でもって、芯材１０及び側材２０のうち少なくとも一方を被覆成形する点において異なる。これにより、上述の第１の製造方法による作用効果と同様の作用効果が達成され得る。
（第８実施形態）
図１６は、本発明の第８実施形態を示している。この第８実施形態では、図１６にて示すような壁面緑化システムが、上記第１実施形態にて述べた壁面緑化システムに代えて、採用されている。
【０１４４】
本第８実施形態の壁面緑化システムは、上記第１実施形態にて述べた複数の蔓科植物育成用螺旋状ロープＲが、チェックパターンにて壁面Ｗに傾斜状に対向するように、複数の締結金具Ｔ及び両締結バーＴ１、Ｔ２でもって張設されて、壁面Ｗの上部と地面との間に支持されている。その他の構成は上記第１実施形態と同様である。
【０１４５】
このように構成した本第８実施形態によれば、上記第１実施形態にて述べた作用効果が、上記分流作用による作用効果を除き、達成され得る。
【０１４６】
なお、本第８実施形態にいう壁面緑化システムは、上記第１実施形態にて述べた壁面緑化システムに限ることなく、上記第２〜第７の実施形態のいずれかにて述べた壁面緑化システムに代えて、採用してもよい。
【０１４７】
これによれば、上記第２〜第７の実施形態のいずれかにて述べた作用効果が、上記分流作用による作用効果を除き、達成され得る。
（第９実施形態）
図１７は、本発明の第９実施形態を示している。この第９実施形態では、図１７にて示すような壁面緑化システムが、上記第１実施形態にて述べた壁面緑化システムに代えて、採用されている。
【０１４８】
本第９実施形態の壁面緑化システムは、上記第１実施形態にて述べた複数の蔓科植物育成用螺旋状ロープＲが、ストレートパターンにて壁面Ｗに傾斜状に対向するように、複数の締結金具Ｔ及び両締結バーＴ１、Ｔ２でもって張設されて、当該壁面Ｗの上部と地面との間に支持されている。その他の構成は上記第１実施形態と同様である。
【０１４９】
このように構成した本第９実施形態によれば、上記第１実施形態にて述べた作用効果が、上記分流作用による作用効果を除き、達成され得る。
【０１５０】
なお、本第９実施形態にいう壁面緑化システムは、上記第１実施形態にて述べた壁面緑化システムに限ることなく、上記第２〜第７の実施形態のいずれかにて述べた壁面緑化システムに代えて、採用してもよい。
【０１５１】
これによれば、上記第２〜第７の実施形態のいずれかにて述べた作用効果が、上記分流作用による作用効果を除き、達成され得る。
【０１５２】
なお、本発明の実施にあたり、上記各実施形態に限ることなく、次のような種々の変形例が挙げられる。
（１）上記各実施形態では、蔓科植物が地球の北半球で成長することを前提とする例について説明したが、これに代えて、地球の南半球で成長する蔓科植物に対しては、側材（側材２０、側ロープ部材Ｒｂ或いは側ロープ部材Ｒｄ）の芯材（芯材１０、芯ロープ部材Ｒａ或いは芯ロープ部材Ｒｃ）に対する巻装方向を、地球の南半球で成長する蔓科植物の蔓の巻回方向に沿わせるように、蔓の生長端部側からみて、時計方向とする（図５参照）。これによっても、上記各実施形態にて述べたと実質的に同様の作用効果が達成され得る。このようなことは、側材（側ストランド２０Ａ）の芯材（芯ストランド１０Ａ）に対する撚り方向に対しても、同様に成立する。
（２）上記第１実施形態において、側材２０の撚り線としての各側素線の撚り方向が、芯材１０の撚り線としての各側素線の撚り方向に対し、交叉角αをなすように構成してもよい。これによっても、上記第２実施形態にて述べたと同様の作用効果が達成され得る。
（３）上記第７実施形態にいう補色対比の色調としては、赤色と緑色に限ることなく、例えば、紫と黄色であってもよく、一般には、色相環において、正反対に位置する関係の色同士であればよい。
【図面の簡単な説明】
【０１５３】
【図１】図１は、本発明を適用してなる壁面緑化システムの第１実施形態を示す正面図である。
【図２】図１の壁面緑化システムの蔓科植物育成用螺旋状ロープ及びこの螺旋状ロープに沿い成長する蔓科植物を部分的に示す部分拡大側面図である。
【図３】図２の螺旋状ロープを示す部分側面図である。
【図４】地球の北半球で成長する蔓科植物の蔓の巻回方向に沿うように構成される螺旋状ロープの説明図である。
【図５】地球の南半球で成長する蔓科植物の蔓の巻回方向に沿うように構成される螺旋状ロープの説明図である。
【図６】風が丸棒に吹き付けたときのカルマン渦列の発生状態を説明するための模式的斜視図である。
【図７】図３の螺旋状ロープの整流作用を説明する説明図である。
【図８】図１の壁面緑化システムにおける螺旋状ロープの分流作用を説明するための模式図である。
【図９】本発明の第２実施形態の要部を示す部分側面図である。
【図１０】図９で示す螺旋状ロープの部分拡大側面図である。
【図１１】本発明の第３実施形態の要部を示す部分側面図である。
【図１２】本発明の第４実施形態の要部を示す部分側面図である。
【図１３】本発明の第５実施形態の要部を示す部分側面図である。
【図１４】上記第５実施形態における芯ロープ部材の拡大断面図である。
【図１５】上記第５実施形態における側ロープ部材の拡大断面図である。
【図１６】本発明の第８実施形態の正面図である。
【図１７】本発明の第９実施形態の正面図である。
【符号の説明】
【０１５４】
１０…芯材、１０Ａ、３０…芯ストランド、１１、２１、５１…芯素線、
１２、２２、５２…側素線、２０…側材、２０Ａ、４０…側ストランド、
６０…芯被覆層、７０…側被覆層、α…所定の交叉角、Ｂ…蔓科植物、Ｂ１…蔓、
Ｒａ、Ｒｃ…芯ロープ部材、Ｒｂ、Ｒｄ…側ロープ部材、Ｗ…壁面。
【図１】
2007306858.tif 000004
【図２】
2007306858.tif 000005
【図３】
2007306858.tif 000006
【図４】
2007306858.tif 000007
【図５】
2007306858.tif 000008
【図６】
2007306858.tif 000009
【図７】
2007306858.tif 000010
【図８】
2007306858.tif 000011
【図９】
2007306858.tif 000012
【図１０】
2007306858.tif 000013
【図１１】
2007306858.tif 000014
【図１２】
2007306858.tif 000015
【図１３】
2007306858.tif 000016
【図１４】
2007306858.tif 000017
【図１５】
2007306858.tif 000018
【図１６】
2007306858.tif 000019
【図１７】
2007306858.tif 000020